(57)【特許請求の範囲】
【請求項１】
自動車座席用の調節金具であって、
この調節金具において、固定した座部領域に所属する固定した金具部（１）、および、可動の背当部に所属する回転位置調節可能な金具部（２）が回転軸線（３）を中心として回転可能に駆動可能な偏心輪（４）を介して結合されており、この偏心輪が一方の金具部（１）内における外側の回転軸受（５ａ）を介して、および他方の金具部（２）内において外側の回転軸受（５ａ）に対して偏心的な内側の回転軸受部（６ａ）を介して支承されており、且つ両方の金具部（１；２）が揺動伝動機構の部分を形成する有歯部（１ａ；２ａ）を有し、これら有歯部が偏心輪頂点の状態に対して半径方向に互いに係合の状態にあり、その際、外側の回転軸受（５ａ）において支承する偏心領域が駆動される偏心領域と一体的な偏心輪セグメント（４ａ）および外周において補完するくさびセグメント（４ｂ；４ｃ）によって形成されており、これらくさびセグメントがばね（７）の予負荷の状態にあり且つこのばね（７）によって偏心輪（４）が駆動されない場合、拡大された偏心領域を形成するために半径方向に外側へ予負荷されており、並びに偏心輪（４）が駆動される場合、縮小された偏心領域が形成し、その際、この内径（４ｄ）から外側へ指向する当接面（４ｅ；４ｆ）を有する偏心輪セグメント（４ａ）が、この偏心輪（４）の回転においてくさびセグメントの幅の狭い端面（４ｇ；４ｈ）に当接するために形成されている様式の上記調節金具において、
このくさびセグメント（４ｂ；４ｃ）が、半径方向に重なり合って形成されており、且つそのくさびセグメントの厚さが逆方向に増大し、その際、それぞれのくさびセグメント（４ｂ；４ｃ）のそれぞれ一方の比較的に細い端面（４ｇ；４ｈ）が、偏心輪セグメント（４ａ）の当接面（４ｅ；４ｆ）に向けて相対しているそれぞれ他方のくさびセグメントの端面を越えて突出しており、且つ、この内側のくさびセグメント（４ｂ）が内側の環状リング軸受面上で、およびこの外側のくさびセグメント（４ｃ）が外側の偏心的な回転軸受（５ａ）の軸受面上で回転可能であることを特徴とする調節金具。
【請求項２】
ばね（７）は、回転軸線を囲繞するねじりコイルばね（Schenkelfeder）であり、このねじりコイルばねが円形に湾曲された領域（７a・）を有し、この円形に湾曲された領域が偏心輪（４）の回転面に対して平行に指向する面内において延在しており、且つこの円形に湾曲された領域と連結する先ず第１に内側へ湾曲された領域（７ｂ）、および引続いて回転軸線に対して平行に、直角に折り曲がった端部領域を有し、これら直角に折り曲がった端部領域（７ｃ）がくさびセグメント（４ｂ；４ｃ）のそれぞれの収容穿孔（４ｉ；４ｋ）内に係合することを特徴とする請求項１に記載の調節金具。
【請求項３】
偏心輪セグメント（４ａ）は、回転支持領域（８）と一体的に形成されており、この回転支持領域が内側の回転軸受部（６ａ）内において回転可能に支承されていることを特徴とする請求項１または２に記載の調節金具。
【請求項４】
回転支持領域（８）が、非円形の中央の回転運動伝動用開口部（８ａ）によって貫通されていることを特徴とする請求項１から３のいずれか一つに記載の調節金具。
【請求項５】
内側の回転軸受部（６ａ）は、軸受スリーブ（６）の内側穿孔によって形成されており、この軸受スリーブがこの軸受スリーブの長手の部分によって金具部（２）の収容開口部（２ｂ）内に固着されており、且つこの軸受スリーブの長手の他の部分によって、内側のくさびセグメント（４ｂ）のための環円筒形の軸受領域を外側で形成していることを特徴とする請求項１から４のいずれか一つに記載の調節金具。
【請求項６】
偏心輪セグメント（４ａ）、回転支持領域（８）、および偏心輪セグメント（４ａ）に対して隣接して設けられ回転支持領域（８）に対して垂直方向に延在しているディスク領域（９）が、一体的に形成されていることを特徴とする請求項１から５のいずれか一つに記載の調節金具。
【請求項７】
内側の回転軸受部（６ａ）を貫通係合する回転支持領域（８）が、固定部材（１０）によって、回転支持領域（８）から貫通する軸受スリーブ（６）に対して回転軸線（３）の方向で固着されていることを特徴とする請求項１から６のいずれか一つに記載の調節金具。
【請求項８】
外側の回転軸受（５ａ）が、金具部と強固に結合された外側の軸受リング（５）によって形成されることを特徴とする請求項１から７のいずれか一つに記載の調節金具。
【発明の詳細な説明】
【０００１】
【発明の属する技術分野】
本発明は、請求項１の上位概念による自動車座席用の調節金具に関する。
【０００２】
【従来の技術】
公知の（ドイツ連邦共和国特許第３０  １３  ３０４号明細書の）様式の調節金具の場合、偏心輪の部分を形成する異なる回転方向で先細りのくさびセグメントが、回転軸線に対して同心に指向する軸受面上に存在する。両方のくさびセグメントの幅の広い端面の間に緊張された圧縮ばねが、これらくさびセグメントを異なる方向へ押し込み、その結果、偏心性がばねの作用のもとで増大することとなる。この公知の解決策の場合、くさびセグメントの長さ、即ち−有効な載置面がその角度を互いに収納する−角度が、制限されていることは不利である。この制限は、方式上必然的である。あまりにも大きすぎる有効の長さは、その結果、回転方向に前方のくさびが、駆動の場合、有歯部を所望の方法において十分に弛緩せず、むしろ再び互いに中へ押圧することとなる。従って実際上は、両方のくさびセグメントの場合、両方のくさびセグメントの内側載置面は、比較的に短い。比較的に短い当接面は、比較的に迅速な損耗を導く。何故ならば、このくさびセグメントは、このくさびセグメントの軸受面上で傾倒するからである。
【０００３】
【発明が解決しようとする課題】
この公知技術を出発点として、本発明の根底をなす課題は、調節金具を、公知の前提とされた様式に対して可能な限り摩損しにくく形成され、且つ非常に静かに作動するように形成することである。
【０００４】
【課題を解決するための手段】
この課題の解決策は、請求項１の特徴によって実現する。
【０００５】
本発明による、半径方向に重なり合い且つ逆方向に整向状態のくさびセグメントの配置は、くさびセグメントの有効な長さを公知技術の場合より大きく選択すること、且つ従って比較的に僅かな磨耗しやすさを提供するという可能性を達成する。比較的に大きく可能なくさび長さのために、しかもその上、全てのくさび長さを利用せず、むしろ載置面をそれぞれただ両方の端部だけに配置し、他方では中間領域が利用されないということは可能である。このことは、スムーズな動きを高め、且つ製造費用を低下させる。
【０００６】
【発明の実施の形態】
次に、本発明の有利な実施の形態を、図を参照して詳しく説明する。図示された調節金具は、自動車座席背当部用の典型的な傾斜調節金具である。この傾斜調節金具は、図示されていない座席領域に所属する固定した金具部１を、および、同様に図示されていない背当部と結合されている回転位置調節可能な金具部２を有している。
【０００７】
固定した金具部１は、有歯部１ａを有している。この有歯部１ａは、可動の金具部２の有歯部２ａ内への周囲に延在する係合のために形成されている。この有歯部１ａと２ａは、揺動伝動機構の部分を形成している。
【０００８】
金具部２は、段差を付けられた収容開口部２ｂを有し、この収容開口部内に、軸受スリーブ６の後方の端部が固着されている。この軸受スリーブ６は、この軸受スリーブの内側の穿孔によって、内側の回転軸受部６ａを形成している。全体として符号４で示された偏心輪は、回転軸線３を中心として回転可能である。この偏心輪４は、一体的に形成されている、互いに結合された異なる領域、即ち、非円形の中央の回転運動伝動用開口部（Mitnehmeroeffnung）８ａを備えている回転支持領域（Zapfenbereich）８、更にディスク領域９、並びに偏心輪セグメント４ａを有している。
回転支持領域８は、半径方向に内側へ整向された弾性的なアームを有するディスク固定部として形成されている固定部材１０を用いて、回転支持領域８によって貫通された軸受スリーブ６に向かって回転軸線３の方向へと固着されている。
【０００９】
偏心輪セグメント４ａは、外側の回転軸受５ａの内部に延在し、この回転軸受５ａは、金具部１内に押し嵌めされている軸受リング５によって形成されている。この偏心輪セグメントの内部側面によって、この偏心輪セグメント４ａは、図３に示すように、軸受スリーブ６の右側領域の外側周囲を囲繞している。内側および外側に向かって指向する湾曲された偏心輪セグメント４ａの面が、それぞれに相対している面から間隔を保持する場合、有利である。
【００１０】
偏心輪セグメント４ａは、この偏心輪セグメントの外周において、完全な偏心輪とするために、２つのくさびセグメント４ｂおよび４ｃによって補完されている。
【００１１】
湾曲されたくさびセグメント４ｂおよび４ｃは、逆方向に整向されている。これらくさびセグメントの比較的に幅の狭い端面４ｇまたは４ｈによって、これらくさびセグメントは、くさびセグメント４ｂまたは４ｃの、隣接した比較的に幅の広い端面と並んで位置している。これら比較的に幅の狭い端面４ｇまたは４ｈは、外周方向において、それぞれ他方のくさびセグメントの幅を広げられた端面に対して、突出している。
【００１２】
湾曲されたばね７は、回転軸線３を囲繞する円形に湾曲された領域７ａを有している。この円形に湾曲された領域７ａは、偏心輪４の回転面に対して平行に指向する面内において延在している。この円形に湾曲された領域と先ず第１に内側へ湾曲された領域７ｂが連結し、この内側へ湾曲された領域と直角に折り曲がった端部領域７ｃが連結している。この端部領域７ｃの一方の領域は、くさびセグメント４ｂの一方の収容穿孔４ｉ内に係合し、他方の直角に折り曲がった端部領域が他方のくさびセグメント４ｃの収容穿孔４ｋ内に係合している。
【００１３】
ばね７は、このばねが両方の収容穿孔４ｉおよび４ｋの間隔を減少させることを努めるように予負荷されている。このことによって、およびくさびセグメント４ｂおよび４ｃのくさび形状のために、これらくさびセグメントは、外側の回転軸受５ａの軸受面と、図３に示すように軸受スリーブ６の右側領域の、環円筒形の外側面６ｂとの間に拡開する。
【００１４】
偏心輪セグメント４ａは、２つの端面４ｅまたは４ｆを備えている。図４による時計方向における、偏心輪４の、従って偏心輪セグメント４ａの旋回の場合、端面４ｅは、くさびセグメント４ｃの突出した端面４ｇに達し、このくさびセグメントは、ばね７の力に抗して時計方向に連行される。このことによって、有歯部１ａおよび２ａの偏心輪頂点の側で存在する領域の係合は、弛緩する。従って、静止状態における金具のカタカタ音を防止する付勢は、回転によって消失される。
【００１５】
類似した方法で、図４による反時計方向における偏心輪４の、従って偏心輪セグメント４ａの回転方向は、端面４ｈに対して当接面４ｆの当接を、および同一の回転方向において行われるくさびセグメント４ｂの摺動を導く。同様にこの回転方向において、有歯部１ａおよび２ａの予負荷は、偏心輪頂点において弛緩され、且つその場合に、調節金具の付勢されない回転が時計方向において可能である。
【００１６】
回転工程が終結され、且つ部材が停止するやいなや、ばね７は、このばねの直角に折れ曲がった端部によって、くさびセグメント４ｂおよび４ｃを再び離れ離れに引張り、且つこのことによって再び偏心性が拡大する結果、偏心輪頂点によって半径方向に置かれた平面内で噛み合う有歯部１ａおよび２ａが、再び互いに中へ押圧される。
【００１７】
図示された実施の形態において、くさびセグメント４ｂの内径は、このくさびセグメントの全長さでもって、軸受スリーブ６の外径６ｂ上に載っている。このくさびセグメント４ｂの外側周囲６ｂ上での載置領域を、端面に隣接する両方の載置面の間に図示されていない切欠き（Freisparung・）を設けることによって減少させることは、簡単に可能である。このくさびセグメント４ｂのそのくさびセグメントの端部領域における支持は、いかなる場合にも、このくさびセグメントの有害な傾倒を防止する。
【００１８】
揺動伝動機構の原理により作動する調節金具は、公知である。これら伝動機の場合、本発明による調節金具もこれら伝動機に必要であり、偏心輪または偏心的に周囲に延在する領域が、回転軸線３に対して回転する。この回転可能に駆動できる偏心輪４は、一方の金具部１内における外側の回転軸受５ａを介して支承されており、および他方の金具部２内において外側の回転軸受５ａに対して偏心的な内側の回転軸受部６ａを介して支承されている。有歯部１ａまたは２ａは、金具部１または２と共に一体的に形成されて構成されており、通常、精密切断方法（Feinschneidverfahren）において、それぞれ金属薄板部材から打出し加工（herausgearbeiten）される。これら両方の有歯部１ａおよび２ａは、異なる歯数、および異なる直径を有している。有歯部１ａは、有歯部２ａよりも小さい直径および少ない歯数を有している。偏心輪の旋回は、金具部２の旋回のために、回転軸線３を中心として金具部１に対しておこなう。この偏心輪４は、両方の有歯部１ａおよび２ａが、偏心輪頂点の状態に対して半径方向にあるその領域において互いに係合の状態にあることを保証する。その他の領域において、両方の噛み合う有歯部の歯は、多少とも遠く離れ離れに移動される。
【図面の簡単な説明】
【図１】  第１の側からの回転０軸線方向における調節金具の正面図である。
【図２】  反対の位置にある側から見た、回転軸線方向における、図１による調節金具の正面図である。
【図３】  図２による、面ＩＩＩ−ＩＩＩに沿った断面図である。
【図４】  図３による、面ＩＶ−ＩＶに沿った断面図である。
【符号の説明】
１、２    金具部
１ａ、２ａ  有歯部
２ｂ  収容開口部
３    回転軸線
４    偏心輪
４ａ  偏心輪セグメント
４ｂ、４ｃ  くさびセグメント
４ｄ  内径
４ｅ、４ｆ    当接面（端面）
４ｇ、４ｈ  端面
４ｉ、４ｋ  収容穿孔
５    軸受リング
５ａ  回転軸受
６    軸受スリーブ
６ａ  回転軸受部
６ｂ  環円筒形の外側面
７    ばね、  ねじりコイルばね
７ａ  円形に湾曲された領域
７ｂ  内側へ湾曲された領域
７ｃ  直角に折り曲げられた端部領域
８    回転支持領域
８ａ  回転運動伝動用開口部
９    ディスク領域
１０  固定部材
【図１】
0003647398.tif 000002
【図２】
0003647398.tif 000003
【図３】
0003647398.tif 000004
【図４】
0003647398.tif 000005